(57)【要約】  絶縁分離要素（１１０）は、作動または絶縁グレージングユニット（１００）のスペーサ枠（１１０、１０５Ａ、および１０５Ｂ）の第１および第２の導電スペーサ端部（１０７）に架橋する。絶縁分離要素（１１０）は、第１および第２の導電スペーサ端部（１０７）の中へ配置するように寸法決定される、第１および第２の外側区間（１４０）を含む。絶縁分離要素（１１０）は、第１および第２の外側区間（１４０）を接続する、中間区間（１４５）を含む。中間区間（１４５）は、それぞれ、第１および第２のスペーサ端部（１０７）を当接させ、絶縁分離するように寸法設計される対向する第１および第２の面を有する。【選択図】図２Ｂ
2015530339.tif 000002
【特許請求の範囲】
【請求項１】
作動または絶縁グレージングユニットのスペーサ枠の第１および第２の導電スペーサ端部に架橋する、絶縁分離要素であって、
前記スペーサ枠の前記第１および第２の導電スペーサ端部の中へ配置するように寸法設計される、第１および第２の外側区間と、
前記第１および第２の外側区間を接続する中間区間であって、前記第１および第２のスペーサ端部をそれぞれ当接させ、かつ、絶縁分離するように寸法設計される対向する第１および第２の面を有する、中間区間と、
を備える、絶縁分離要素。
【請求項２】
少なくとも前記第１の外側区間は、基部と、前記基部から離間され、かつ、該基部に平行に延在する、対向するレールとを有し、前記対向するレールおよび基部は、充填可能な空間を画定する、請求項１に記載の絶縁分離要素。
【請求項３】
前記対向するレールは、前記作動または絶縁グレージングユニットの前記第１および第２の導電スペーサ端部と圧縮係合するように寸法決定される、請求項２に記載の絶縁分離要素。
【請求項４】
複数のフィンが前記レールから延在する、請求項２に記載の絶縁分離要素。
【請求項５】
前記フィンは、前記レールの第１の部分に沿って第１の角度で延在し、また、前記レールの第２の部分に沿って第２の角度で延在する、請求項４に記載の絶縁分離要素。
【請求項６】
前記対向するレールに対向する前記基部の下側は、その中に空洞を含む、請求項２に記載の絶縁分離要素。
【請求項７】
前記中間区間は、材料が前記第１および第２の外側区間のうちのどちらかから前記第１および第２の外側区間のもう一方に貫通し得る、穴を画定する、請求項１に記載の絶縁分離要素。
【請求項８】
前記中間区間の外側は、溝を含み、前記溝の中で受容可能な取り外し可能なカバーをさらに備える、請求項１に記載の絶縁分離要素。
【請求項９】
前記中間区間の前記溝は、前記中間区間の内側および外側ならびに第１の端部上に形成され、前記第１の端部は、前記中間区間の第２の端部に対向し、よって、前記溝の断面は、Ｕ字形を有する、請求項８に記載の絶縁分離要素。
【請求項１０】
前記取り外し可能なカバーの断面は、前記中間区間の前記溝の前記Ｕ字形断面に対応する形状を有し、よって、前記取り外し可能なカバーが前記中間区間上へ配置されると、前記取り外し可能なカバーの３つの表面は、それぞれ、前記中間区間の前記内側および外側ならびに前記第１の端部のそれぞれに対して面一である、請求項９に記載の絶縁分離要素。
【請求項１１】
前記溝は、前記絶縁分離要素の前記第２の端部に絶縁肩部を形成する、請求項９に記載の絶縁分離要素。
【請求項１２】
前記中間区間および前記取り外し可能なカバーのうちの一方は、突出部を含み、前記中間区間および前記取り外し可能なカバーのうちのもう一方は、前記突出部を受容するように寸法決定される、突出部溝を含み、よって、前記突出部が前記突出部溝の中で受容されたときに、前記取り外し可能なカバーは、前記中間区間と係止的に係合される、請求項８に記載の絶縁分離要素。
【請求項１３】
前記第１および第２の外側区間のうちの少なくとも１つから延在する複数のフィンをさらに備える、請求項１に記載の絶縁分離要素。
【請求項１４】
前記複数のフィンは、前記第１および第２の外側区間の前記少なくとも１つの端部分だけから延在する、請求項１３に記載の絶縁分離要素。
【請求項１５】
前記フィンの少なくともいくつかは、前記中間区間に向かってある角度で延在する、請求項１３に記載の絶縁分離要素。
【請求項１６】
前記スペーサ枠の前記第１および第２の導電スペーサ端部との圧入を提供するための、前記外側区間から延在する、圧縮可能な突出部をさらに備える、請求項１に記載の絶縁分離要素。
【請求項１７】
前記中間区間は、前記中間区間の周辺部の一部分だけに沿って延在する、肩部である、請求項１に記載の絶縁分離要素。
【請求項１８】
前記外側区間は、そこを貫通する第１の中心軸を有し、前記中間区間は、そこを貫通する第２の中心軸を有し、前記第１および第２の中心軸は、互いに平行で、かつオフセットされる、請求項１に記載の絶縁分離要素。
【請求項１９】
前記中間区間は、肩部を含み、前記肩部に隣接する、溝をさらに備え、前記溝は、前記それぞれの外側区間および前記中間区間の交差部によって画定される、請求項１に記載の絶縁分離要素。
【請求項２０】
作動または絶縁グレージングユニットであって、
絶縁分離要素と、
スペーサ枠の第１および第２のスペーサ部分であって、導電性である、第１および第２のスペーサ部分と、を備え、
前記絶縁分離要素は、前記第１および第２のスペーサ部分を噛合的に係合し、前記絶縁分離要素は、前記第１および第２のスペーサ部分を電気的に絶縁する、
作動または絶縁グレージングユニット。
【請求項２１】
前記絶縁分離要素は、前記第１および第２のスペーサ部分のそれぞれのスペーサ表面に当接する少なくとも１つの肩部表面を有する、肩部を含み、よって、前記絶縁分離要素が前記第１および第２のスペーサ部分に完全に係合したときに、前記絶縁分離要素ならびに前記第１および第２のスペーサ部分が、連続する共通の外側輪郭を形成する、請求項２０に記載の作動または絶縁グレージングユニット。
【請求項２２】
前記絶縁分離要素は、前記第１および第２のスペーサ部分を接続するための、１対の外側区間を含み、前記外側区間は、それに接続される中間区間によって分離され、
第１の長手方向軸が、前記第１および第２のスペーサ部分のそれぞれを貫通し、
第２の長手方向軸が、前記中間区間を貫通し、
前記第１および第２の長手方向軸は、互いにオフセットされ、かつ平行である、請求項２０に記載の作動または絶縁グレージングユニット。
【請求項２３】
その基材上に蒸着される、複数の離間された導電性トレースをさらに備え、
前記絶縁分離要素は、その側部に沿った絶縁肩部要素を含み、
前記絶縁分離要素が対応する導電性トレースと接触すると、前記絶縁肩部要素が前記導電性トレースの対応する１つに接触し、よって、前記絶縁分離要素と前記対応する導電性トレースとの間には、いかなる電気的相互接続も形成されない、請求項２０に記載の作動または絶縁グレージングユニット。
【請求項２４】
前記絶縁分離要素は、前記第１および第２のスペーサ部分を接続するための、１対の外側区間を含み、前記外側区間は、それに接続される中間区間によって分離され、前記絶縁分離要素の前記外側区間は、前記第１および第２のスペーサ部分内で圧縮的に受容される、請求項２０に記載の作動または絶縁グレージングユニット。
【請求項２５】
前記絶縁分離要素は、空隙を画定する、分離された肩部を含み、前記作動または絶縁グレージングユニットはさらに、前記空隙内に配置される、密閉材料を備える、請求項２０に記載の作動または絶縁グレージングユニット。
【請求項２６】
前記絶縁分離要素は、外側区間と、前記第１および第２のスペーサ部分を接続するための中間区間によって接続される棚部とを含み、前記第１のスペーサ部分は、前記絶縁分離要素の前記棚部上に静置される、舌状部を含む、請求項２０に記載の作動または絶縁グレージングユニット。
【請求項２７】
前記第１のスペーサ部分の前記舌状部は、前記絶縁分離要素の前記外側区間内で受容され、前記絶縁分離要素の前記外側区間は、前記第２のスペーサ部分内で受容される、請求項２６に記載の作動または絶縁グレージングユニット。
【請求項２８】
第３のスペーサ部分と、
前記絶縁分離要素に対向する前記第１のスペーサ部分の側部上の第２の絶縁分離要素であって、
前記第３のスペーサ部分から前記第１のスペーサ部分を電気的に絶縁する、第２の絶縁分離要素と、をさらに備える、請求項２６に記載の作動または絶縁グレージングユニット。
【請求項２９】
前記第１のスペーサ部分は、前記作動または絶縁グレージングユニットの隅部を形成する、請求項２８に記載の作動または絶縁グレージングユニット。
【発明の詳細な説明】
【背景技術】
【０００１】
関連案件の相互参照
本出願は、２０１２年６月２７日に出願された米国仮特許出願第６１／６６４，９９２号の出願日の利益を主張するものであり、その開示は、参照により本明細書に組み込まれる。
【０００２】
本明細書で使用される絶縁グレージングユニット（「ＩＧＵ」）という用語は、ガラスライトパネルと呼ばれることもある、縁部に沿ったスペーサ枠によって分離される２つ以上のガラスの層であって、該層の間に絶縁空気（または他の気体、例えば、アルゴン、窒素、クリプトン）の空間を作成するように密閉される、ガラスの層を意味する。スペーサ枠は、スペーサを含み、該スペーサは、従来は中空管であり、スペーサ管とも呼ばれ、限定されないが、アルミニウムまたは鋼等の導電材料製であるが、場合によっては中空でないことがあり得、また、ポリマー材料で作製され得る。スペーサ枠は、場合によっては、スペーサコネクタと呼ばれることもあるスペーサキーを含み得、該スペーサキーは、端部を互いに架橋するためにスペーサの端部に挿入される。ＩＧＵの一部を形成し、また、エレクトロクロミックグレージングを含む、アクティブグレージングが、ガラスライトパネルの１つに塗布または蒸着され得る。エレクトロクロミックグレージングは、積層構造を有し得る（同時係属の米国特許出願公開第２０１１／０２６１４２９Ａ１号および第２０１１／０２６７６７２Ａ１号、ならびに同時係属の米国特許出願第１３／９０６，４５６号および第１３／９０６，４８７号を参照されたい。これらの開示は、参照によりそれらの全体が本明細書に組み込まれる）。例えば、エレクトロクロミックグレージングは、ガラスライトパネルの１つに塗布または蒸着される一連の薄膜を含み得る。エレクトロクロミックグレージングまたは被覆は、エレクトロクロミック材料を含み、該エレクトロクロミック材料は、エレクトロクロミックグレージング内で呈色または着色を生じさせることができる電位の印加に応じて、それらの光学特性を変化させることが知られている。これらのグレージングの一般的用途としては、建築用窓、ならびに自動車のフロントガラスおよびミラーが挙げられる。ＩＧＵの形成に関するさらなる詳細は、例えば、米国特許第７，３７２，６１０号および第７，５９３，１５４号に見出すことができ、それらの開示全体は、参照により全体として本明細書に組み込まれる。
【０００３】
当業者に知られているように、電気伝導バスバーは、一般的に、ガラスライトパネルの１つの表面に沿って適用され、よって、ＩＧＵの組み立てに応じて、バスバーは、ＩＧＵ断熱空洞を形成するＩＧＵスペーサ／ポリイソブチレン（「ＰＩＢ」）シール（すなわち本明細書で使用されるときの用語である「スペーサシール」）の外側にあるか、またはバスバーは、主にスペーサシールの内側にある。例えば、図１で示されるように、ＩＧＵ１は、ガラスパネル２を有し得、該ガラスパネル上には、バスバー３が適用され、よって、バスバー３は、主に、スペーサ５の側部、およびスペーサ５と、スペーサ５とほぼ同じ周辺部を有するガラスパネル２との間に配置されるスペーサシール４の側部によって画定される周辺部内にある。示されるように、そのような構成において、バスバー３は、スペーサシール４の下でスペーサシール４およびスペーサ５の周辺部の外側の領域まで延在して、ワイヤ９をはんだ付けすることができる接触領域を提供して安定した電気的接続のための十分なはんだ接合部８を提供することができるバスバー３の端部上のバスバーはんだタブ７の形成を可能にするように適用されなければならない。バスバーはんだタブ７は、アセンブリプロセス中に、またはＩＧＵの耐用年数にわたって起こり得る僅かな動きの間に、スペーサ５とはんだ接合部８との間の望ましくない接触による電気的短絡を防止するために、はんだ接合部８とスペーサ５との間に十分な離間距離があるように配置しなければならない。加えて、はんだガンの先端部が着地してはんだ接合部を作成するための空間を提供するために、また、場合によっては、バスバーおよびバスバーはんだタブ上へのシーラントの追加を可能にし、はんだ付けの後にはんだタブの腐食を防止すること、ならびにスペーサ５およびスペーサシール４と同様にスペーシングシール４に対向するスペーサシール１４によって画定されるＩＧＵの空隙から、アルゴンまたは他の不活性ガスが漏出することを防止すること、の一方または双方を行うために、十分な離間距離が必要である。
【０００４】
十分な離間距離を提供するために、スペーサ５は、電気的接続性を必要としないＩＧＵよりも小さい周辺部を有するように寸法決定されている。しかしながら、その開示全体が参照により全体として本明細書に組み込まれる米国特許出願第１３／７９７，６１０号で説明されるように、ある建築用枠の構成では、掩蔽マスクが適用されなければ、より小さい周辺部スペーサおよび対応するスペーサシールの一方または双方が枠の可視領域内に見えてしまい、該構成は、そのような建築用グレージング枠システムの美的な外観を向上させるために使用され得るが、コストを増大させる一方で、さらに、電気的接続性を必要としないＩＧＵと比較して、枠の可視領域の縮小を生じさせ得る。
【０００５】
したがって、電気的相互接続に適応させるためのスペーサの周辺部の縮小を必要としない、ＩＧＵ空洞の中のバスバーに対する電気的相互接続に対する必要性が存在する。
【発明の概要】
【０００６】
一実施形態の一態様に従って、絶縁グレージングユニットは、金属であり得る、非導電スペーサキーと、導電スペーサとを含み得る。スペーサは、第１のスペーサ区間および第２のスペーサ区間に分割され得る。スペーサキーは、第１および第２のスペーサ区間に架橋し得る。
【０００７】
実施形態の一態様に従って、絶縁分離要素は、作動または絶縁グレージングユニットのスペーサ枠の第１および第２の導電スペーサ端部に架橋し得る。絶縁分離要素は、スペーサ枠の第１および第２の導電スペーサ端部の中へ配置するように寸法決定される、第１および第２の外側区間を含み得る。絶縁分離要素は、第１および第２の外側区間を接続し得る、中間区間を含み得る。中間区間は、第１および第２のスペーサ端部をそれぞれ当接させ、かつ、絶縁分離するように寸法決定される、対向する第１および第２の面を有し得る。
【０００８】
いくつかの配設において、第１および第２の外側区間の一方または双方は、基部を有し得、また、基部から離間され、かつ、該基部に平行に延在する、対向するレールを有し得る。対向するレールおよび基部は、充填可能な空間を画定し得る。いくつかの配設において、対向するレールは、作動または絶縁グレージングユニットの第１および第２の導電スペーサ端部の一方または双方と圧縮係合するように寸法決定され得る。
【０００９】
いくつかの配設では、複数のフィンがレールから延在し得る。いくつかの配設において、フィンは、レールの第１の部分に沿って第１の角度で延在し得、また、レールの第２の部分に沿って第２の角度で延在し得る。
【００１０】
いくつかの配設において、対向するレールに対向する基部の下側は、その中に空洞を含み得る。いくつかの配設において、中間区間は、材料が第１および第２の外側区間のどちらかから第１および第２の外側区間のもう一方に貫通し得る、穴を画定し得る。
【００１１】
いくつかの配設において、中間区間の外側は、溝を画定し得る。いくつかのそのような配設において、絶縁分離要素は、溝の中で受容可能な取り外し可能なカバーを含み得る。いくつかの配設において、中間区間の溝は、中間区間の内側および外側ならびに第１の端部上に形成され得、また、それらによって境界が形成され得、第１の端部は、中間区間の第２の端部に対向し得、よって、溝の断面は、Ｕ字形を有する。いくつかの配設において、取り外し可能なカバーの断面は、中間区間の溝のＵ字形断面に対応する形状を有し得る。このようにして、取り外し可能なカバーが中間区間上へ配置されると、取り外し可能なカバーの３つの表面は、それぞれ、中間区間の内側および外側ならびに第１の端部のそれぞれに対して面一であり得る。いくつかの配設において、溝は、絶縁分離要素の第２の端部に絶縁肩部を形成し得る。いくつかの配設において、中間区間および取り外し可能なカバーのうちの一方は、突出部または他のタイプのエンボス加工部を含み得、中間区間および取り外し可能なカバーのうちのもう一方は、突出部を受容するよう寸法決定される突出部溝を含み得る。よって、突出部が突出部溝の中で受容されたときに、取り外し可能なカバーは、中間区間と係止的に係合される。
【００１２】
いくつかの配設において、絶縁分離要素は、第１および第２の外側区間のうちの少なくとも１つから延在し得る１つ以上のフィンを含み得る。いくつかの配設において、フィンは、第１および第２の外側区間の一方または双方の端部分だけから延在し得る。いくつかの配設において、フィンの１つ以上は、中間区間に向かってある角度で延在し得る。
【００１３】
いくつかの配設において、絶縁分離要素は、外側区間から延在する圧縮可能な突出部または他のタイプのバンプもしくはエンボス加工部を含み得る。そのような圧縮可能な突出部は、スペーサ枠の第１および第２の導電スペーサ端部との圧入を提供し得る。
【００１４】
いくつかの配設において、中間区間は、中間区間の周辺部の一部分だけに沿って延在する、肩部であり得る。いくつかの配設において、外側区間は、そこを貫通する第１の中心軸を有し得る。いくつかのそのような配設において、中間区間は、そこを貫通する第２の中心軸を有し得、第１および第２の中心軸は、一方または双方が互いに平行で、かつオフセットされ得る。
【００１５】
いくつかの配設において、中間区間は、肩部を含み得る。いくつかのそのような配設において、絶縁分離要素は、肩部に隣接し得る、溝を含み得る。いくつかのそのような配設において、溝は、それぞれの外側区間および中間区間の交差部によって画定され得る。
【００１６】
実施形態の一態様に従って、作動または絶縁グレージングユニットは、絶縁分離要素と、スペーサ枠の第１および第２のスペーサ部分とを含み得る。第１および第２のスペーサ部分は、導電性であり得る。絶縁分離要素は、第１および第２のスペーサ部分に噛合的に係合され得る。絶縁分離要素は、第１および第２のスペーサ部分を電気的に絶縁し得る。
【００１７】
いくつかの配設において、絶縁分離要素は、肩部を含み得る。いくつかの配設において、肩部は、第１および第２のスペーサ部分のそれぞれのスペーサ表面に当接し得る、少なくとも１つの肩部表面を有し得る。このようにして、いくつかの配設において、絶縁分離要素が第１および第２のスペーサ部分に完全に係合したときに、絶縁分離要素ならびに第１および第２のスペーサ部分が、連続する共通の外側輪郭を形成し得る。
【００１８】
いくつかの配設において、絶縁分離要素は、第１および第２のスペーサ部分を接続するための、１対の外側区間を含み得る。そのような配設において、外側区間は、外側区間のそれぞれに接続され得る中間区間によって分離され得る。いくつかの配設において、第１の長手方向軸は、第１および第２のスペーサ部分のそれぞれを貫通し得る。いくつかの配設において、第２の長手方向軸は、中間区間を貫通し得、第１および第２の長手方向軸は、一方または双方が互いにオフセットされ、かつ平行であり得る。
【００１９】
いくつかの配設において、作動または絶縁グレージングユニットは、その基材上に蒸着される、複数の離間された導電性トレースを含み得る。いくつかのそのような配設において、絶縁分離要素は、その側部に沿った絶縁肩部要素を含み得る。いくつかのそのような配設において、絶縁分離要素が対応する導電性トレースと接触すると、絶縁肩部要素は、導電性トレースの対応する１つに接触し得、よって、絶縁分離要素と対応する導電性トレースとの間には、いかなる電気的相互接続も形成されない。
【００２０】
いくつかの配設において、絶縁分離要素は、第１および第２のスペーサ部分を接続するための、１対の外側区間を含み得、外側区間は、外側区間に接続される中間区間によって分離され得る。いくつかのそのような配設において、絶縁分離要素の外側区間は、第１および第２のスペーサ部分内で圧縮的に受容され得る。いくつかの配設において、絶縁分離要素は、空隙を画定する、分離された肩部を含み得る。いくつかのそのような配設において、作動または絶縁グレージングユニットは、空隙内に配置され得る、密閉材料を含み得る。
【００２１】
いくつかの配設において、絶縁分離要素は、外側区間と、中間区間によって互いに接続され得る棚部とを含み得る。いくつかのそのような配設において、外側区間および棚部は、第１および第２のスペーサ部分を接続し得る。
【００２２】
いくつかの配設において、第１のスペーサ部分は、絶縁分離要素の棚部上に静置される、舌状部を含み得る。いくつかの配設において、第１のスペーサ部分の舌状部は、絶縁分離要素の外側区間内で受容され得る。いくつかの配設において、絶縁分離要素の外側区間は、第２のスペーサ部分内で受容され得る。
【００２３】
いくつかの配設において、作動または絶縁グレージングユニットは、第３のスペーサ部分を含み得る。いくつかの配設において、作動または絶縁グレージングユニットは、絶縁分離要素に対向する第１のスペーサ部分の側部上の第２の絶縁分離要素を含み得る。いくつかのそのような配設において、第２の絶縁分離要素は、第３のスペーサ部分から第１のスペーサ部分を電気的に絶縁し得る。いくつかの配設において、第１のスペーサ部分は、作動または絶縁グレージングユニットの隅部を形成し得る。
【図面の簡単な説明】
【００２４】
【図１】従来技術で知られているＩＧＵの一部分の斜視図である。
【図２Ａ】一実施形態に従うＩＧＵの部分切欠斜視図である。
【図２Ｂ】図２ＡのＩＧＵのスペーサ枠の一部分の分解図である。
【図３Ａ】一実施形態に従うスペーサ枠の一部分の分解図である。
【図３Ｂ】一実施形態に従う、図３Ａで示されるスペーサ枠を含むＩＧＵの部分切欠斜視図である。
【図４Ａ】一実施形態に従うスペーサキーの斜視図である。
【図４Ｂ】一実施形態に従う、図４Ａで示されるスペーサキーを含むＩＧＵの一部分の平面図および正面図である。
【図４Ｃ】一実施形態に従う、図４Ａで示されるスペーサキーを含むＩＧＵの一部分の平面図および正面図である。
【図５】一実施形態に従うスペーサキーの斜視図である。
【図６Ａ】一実施形態に従うスペーサキーの前方斜視図および後方斜視図である。
【図６Ｂ】一実施形態に従うスペーサキーの前方斜視図および後方斜視図である。
【図６Ｃ】一実施形態に従う、図６Ａおよび６Ｂで示されるスペーサキーの一部分を含むスペーサ枠の一部分の斜視図である。
【図７Ａ】一実施形態に従うスペーサキーの前方斜視図および後方斜視図である。
【図７Ｂ】一実施形態に従うスペーサキーの前方斜視図および後方斜視図である。
【図７Ｃ】一実施形態に従う、図７Ａおよび７Ｂで示されるスペーサキーの一部分を含むスペーサ枠の一部分の斜視図である。
【図８Ａ】一実施形態に従うスペーサ枠の一部分の斜視図である。
【図８Ｂ】一実施形態に従うスペーサ枠の一部分の斜視図である。
【図９】一実施形態に従うＩＧＵ一部分の斜視図である。
【図１０】一実施形態に従うＩＧＵの一部分の斜視図である。
【発明を実施するための形態】
【００２５】
本明細書で使用されるとき、「幅」および「長さ」という用語は、ガラスパネル等の基材の平行表面に対して平行な方向を指す。「厚さ」という用語は、そのような基材の平行表面に対して垂直な方向で測定される寸法を指すために使用される。「後方」という用語は、ＩＧＵの空洞から離れる、特徴の幅方向の方向に対して平行な方向を指し、一方で、「前方」という用語は、ＩＧＵの空洞に向かう、特徴の幅方向の方向に対して平行な方向を指す。
【００２６】
以下、図面を参照すると、図２Ａおよび２Ｂで示されるように、ＩＧＵ１００は、スペーサの第１および第２のスペーサ部分１０５Ａ、１０５Ｂを含み得、該スペーサ部分は、スペーサキー１１０によってそれらの長さに沿って分離され得、よって、スペーサ部分１０５Ａ、１０５Ｂは、物理的に互いに接触しない。図２Ａの配設等のいくつかの配設において、スペーサ部分１０５Ａ、１０５Ｂは、連続するスペーサ内に空隙を作成することによって形成され得る。そのような空隙は、スペーサの区間を鋸切断またはレーザ切断することによって形成され得る。いくつかの配設において、スペーサの除去区間は、本明細書でさらに説明されるスペーサキー１１０の肩部１１５等の、スペーサキーの肩部と一致するようにサイズ決定され得る。他の配設において、除去区間は、他の幅であり得、例えば、図３Ｂで示される配設に関して除去される区間の幅は、図２Ａの配設において除去される区間の幅よりも広くなり得る。
【００２７】
いくつかの配設において、スペーサは、限定されないが、アルミニウム、鋼、ステンレス鋼、銅、ベリリウム銅、黄銅、スズ、ニッケル、銀、チタン、ニッケルチタン、および他の剛性金属、剛性編組材料、プラスチック、樹脂、またはプラスチックもしくはポリマーの混合物、または他の複合材料等の材料で作製され得る。スペーサは、好ましくは、非透過性または実質的に非透過性であり得る。図２Ａおよび２Ｂで示されるように、いくつかの配設において、スペーサ部分１０５Ａ、１０５Ｂは、電気伝導性であり得る。
【００２８】
図２Ａで示されるように、ＩＧＵ１００は、それぞれのガラスライトパネル２、１２の間のスペーサシール４、１４と、スペーサシール４、１４の双方の間に位置付けられるスペーサ枠とを含み得、スペーサ枠は、スペーサ部分１０５Ａ、１０５Ｂおよびスペーサキー１１０のアセンブリによって形成される。図２Ａでさらに示されるように、ＩＧＵ１００は、当業者に知られている印刷プロセス等によってガラスライトパネル２に塗布され得、かつパネル２を横切る距離だけ分離され得る、導電バスバー３、１３を含み得、バスバー３は、スペーサ部分１０５Ａの下側だけに延在し、バスバー１３は、スペーサ部分１０５Ｂの下側だけに延在する。このようにして、バスバー３、１３は、スペーサ枠の対向端部上で分離され得、そのような対向端部は、対向するスペーサキー１１０に対して垂直な平面によって画定される。
【００２９】
図２Ｂで最も良く示されるように、スペーサキー１１０は、中間区間１４５の両側に外側区間１４０を含み得る。示されるように、外側区間１４０のそれぞれは、それぞれのスペーサ１０５Ａ、１０５Ｂの端部の中へ挿入するための、基部１１１と、基部に沿って延在する１対の側部レール１１２とを含み得る。本実施例にあるように、基部１１１および側部レール１１２の厚さは、スペーサキー１１０と、スペーサキー１１０が挿入されるそれぞれのスペーサ１０５Ａ、１０５Ｂの内面１０６との間に圧縮、すなわち、締まり嵌めが形成されるように寸法決定され得る。
【００３０】
さらに示されるように、側部レール１１２は、スペーサキー１１０の縁部に、かつ、その長さに沿って延在し得る。このようにして、側部レール１１２は、側部レールがより中央に位置する場合、すなわち、スペーサキー１１０の縁部に沿っていない場合よりも大きい表面積を覆って、それぞれのスペーサ１０５Ａ、１０５Ｂに接触し得る。さらに示されるように、中間区間１４５から最も遠い側部レール１１２の端部は、丸み１１３を有し得、該丸みは、スペーサキー１１０の外側区間１４０をそれぞれのスペーサ１０５Ａ、１０５Ｂの端部の中へ挿入するために必要とされる初期作用力を低減させ得る。いくつかの代替の配設では、そのような丸みの代わりに、またはそれに加えて、面取りまたは他のタイプの前縁部が使用され得る。
【００３１】
スペーサキー１１０の中間区間１４５は、それぞれの外側区間１４０の対向する内壁を画定し得る、本体１１４を含み得る。示されるように、本体１１４は、限定されないが、乾燥剤を含む、いかなるガスまたは流体もスペーサキー１１０を通過し得ないように、中実であり得る。いくつかの配設において、本体１１４は、図４Ａで示される本体３１４に関してさらに本明細書で示され、説明されるように、そのようなガスまたは流体等の物質が本体を通過し得るように、中空であり得る。
【００３２】
中間区間１４５は、中間区間１４５の外周に突出する、肩部１１５を含み得る。図２Ｂの実施例にあるような、いくつかの配設において、肩部１１５は、中間区間１４５の本体１１４の全周にわたって突出し得るが、他の配設において、肩部は、周辺部の一部分だけにわたって突出し得る（例えば、図５に関して示され、説明される肩部４１５を参照されたい）。
【００３３】
いくつかの配設において、スペーサキー１１０は、電気絶縁性であり得る。故に、スペーサキー１１０のための材料は、限定的されないが、ナイロン（ポリアミドまたはポリアミドとの材料混合物）、ＮＯＲＹＬ（ポリフェニレンエーテルまたはポリフェニレンエーテルおよびポリスチレンの一方または双方との混合物）、ＰＶＤＣ（ポリ塩化ビニリデン）、ＰＣＴＦＥ（ポリクロロトリフルオロエチレン）、ＥＣＴＦＥ（エチレン−クロルトリフルオルエチレン）、ＰＶＦ（ポリフッ化ビニル）、ＰＶＣ（ポリ塩化ビニル）、ＰＦＡ（パーフルロアルコキシフルオロカーボン）、およびＰＶＤＦ（ポリフッ化ビニリデン）等のフルオロポリマー、ＴＥＯＮＥＸ（ポリエチレンナフタレート）、ポリアクリロニトリル、ＰＰＡ（ポリフタルアミド）、ＰＡＩ（ポリアミドイミド）、ＰＥＩ（ポリエーテルイミド）、マイラー（ポリエチレンテレフタレート）、ＰＢＴ（ポリブチレンテレフタレート）、ＴＰＵ（テレモプラスチックポリウレタン）、プラスチック混合物、パイレックス（登録商標）もしくはゴリラガラス、アルミナセラミック、窒化アルミナ、ケイ酸マグネシウム等のステアタイトセラミック等のセラミック、ならびに電気絶縁性被覆を含み得る金属（アルミニウム、鋼、ステンレス鋼等）のいずれか等、の材料から選択され得る。図２Ａおよび２Ｂで示されるように、肩部１１５は、それぞれのスペーサ１０５Ａ、１０５Ｂのそれぞれの端面１０７に当接し得る。このようにして、スペーサキー１１０の外側区間１４０がスペーサ１０５Ａ、１０５Ｂのそれぞれの外側端部の中へ挿入されたときに、スペーサキー１１０は、スペーサ部分１０５Ａ、１０５Ｂを電気的に絶縁し得る。したがって、例えばそれぞれのスペーサ部分１０５Ａ、１０５Ｂの過剰圧縮により、スペーサ部分１０５Ａおよび１０５Ｂのどちらかがそれぞれのバスバー３、１３に接触してしまう場合、そのようなバスバーが電気的に帯電しても、他方のバスバー３、１３との短絡を生じさせない。
【００３４】
いくつかの配設において、肩部が中間区間の本体の周辺部の一部分だけしか横断していないときには、肩部内の任意の空隙を充填するために、密閉材料が加えられ得る。いくつかの配設において、密閉材料は、スペーサキーの中間区間とそれぞれの外側区間との間の一方または双方の接続部の肩部に隣接して適用され得る。そのような密閉材料は、限定されないが、ＰＩＢ、ブチル、エチレンビニルアルコール（ＥＶＯＨ）、エポキシドポリビニルアルコール（ＰＶＯＨ）、シリコーンおよびその混合物、ポリスルフィド（ｐｏｌｙｓｕｌｆｉｄｅまたはｐｏｌｙｓｕｌｐｈｉｄｅ）、熱可塑性ポリウレタン（ＴＰＵ）、熱可塑性ポリウレタンエラストマー（ＴＰＵＥ）、ポリスルホン（ＰＳＵ）およびその混合物、ポリフェニルスルホン（ＰＰＳＵ）およびその混合物、ポリエーテルサルホン（ＰＥＳＵ）およびその混合物、ＳＡＮ（スチレンアクリロニトリル）、ＡＳＡ（アクリロニトリルスチレンアクリレート）であり得る。
【００３５】
以下、図３Ａおよび３Ｂを参照すると、ＩＧＵ２００は、ＩＧＵのスペーサ枠が対向するスペーサキー２１０によって形成され、該スペーサキーがそれぞれ、それぞれのスペーサ２０５Ａ、２０５Ｂの中へ挿入される中間区間２４５および外側区間２４０を有することを除いて、ＩＧＵ１００と実質的に同じであり得る。ＩＧＵ２００はまた、ガラスライトパネル２上へ蒸着される、追加的なバスバー２３も含み得る。図３Ｂで示されるように、バスバー２３は、スペーサキー２１０の中間区間２４５の長さによって画定される空間内の、ガラスライトパネル２とスペーサシール４との間に延在し得る。少なくとも各スペーサキー２１０の中間区間２４５および示されるようにスペーサキー２１０全体は、スペーサキー１１０に関して説明される絶縁材料等の絶縁材料で作製され得る。このようにして、スペーサシール４に対するスペーサキー２１０の過剰圧縮中であっても、スペーサキー２１０は、バスバー２３とスペーサ部分２０５Ａ、２０５Ｂとの間の電気的短絡を防止し得る。
【００３６】
図３Ａで最も良く示されるように、スペーサキー２１０は、スペーサキー２１０の中間区間２４５を除いて、スペーサキー１１０と実質的に類似し得る。示されるように、中間区間２４５は、中間区間２４５の本体２１４から長さ方向および幅方向に延在する、基部肩部２１５を含み得る。対向する側部肩部２１６は、本体２１４の周辺部の少なくとも一部分に巻き付き得る。示されるように、対向する側部肩部２１６は、本体２１４の全周に巻き付き得、よって、対向する側部肩部２１６のそれぞれの端部は、基部肩部２１５と接合される。このようにして、本体２１４、基部肩部２１５、および対向する側部肩部２１６は、中間区間２４５内でＵ字形の溝を画定し得る。
【００３７】
種々の色および形状で製作され得る装飾カバー２２０であり得るカバーが、このＵ字形の溝内に配置され得る。図３Ａで示されるように、カバー２２０は、横断パネル２２５によって接続され得る、２つの対向する側部パネル２２４を含み得、該横断パネルは、側部パネル２２４間に延在し得る。カバー２２０は、カバー２２０がＵ字形の溝によって画定される空間全体を充填するように寸法決定され得る。いくつかの配設において、図３Ａでさらに示されるように、カバー２２０は、面取り２２８、または限定されないが、丸み等のいくつかの他の前縁部を含み得、また、本体２１４は、対応する面取りを含み得、よって、中間区間の長手方向軸に平行な中間区間の輪郭は、スペーサ部分２０５Ａ、２０５Ｂの輪郭と同じ、または実質的に同じである。
【００３８】
図３Ｂで示されるように、ＩＧＵ２００は、カバー２２０がスペーサキー２１０の中間区間２４５を覆って配置され、スペーサキー２１０がスペーサ部分２０５Ａ、２０５Ｂの中へ挿入されたときに、カバー２２０だけが視認され得るように組み立てられ得る。本明細書において上で説明されるような密閉材料が、スペーサキー２１０とスペーサ部分２０５Ａ、２０５Ｂとのインターフェースに適用され得る。
【００３９】
図４Ａ〜４Ｃを参照すると、スペーサ枠のスペーサのスペーサ部分を絶縁分離するために、ＩＧＵ３００のスペーサ枠の中へ挿入するためのスペーサキー３１０は、本明細書でさらに説明されるような特定の例外を除いて、スペーサキー１１０に実質的に類似し得る。スペーサキー３１０は、対向する区間３４０の間に位置し、該区間に取り付けられる、中間区間３４５を含み得る。示されるように、外側区間３４０のそれぞれは、基部スロット３３０を画定し得る、基部３１１を含み得、該基部スロットは、一方または双方が、基部スロット３３０の撓みがスペーサの寸法の逸脱に適合することを可能にし、また、スペーサに必要とされる材料を低減させ、したがって、コストを低減させることを可能にし得る。外側区間３４０は、突出部３３５を含み得、該突出部は、限定されないが、バンプまたは他のタイプのエンボス加工部であり得、スペーサキー３１０の基部３１１から該基部に沿って延在するレール３１２から突出する。突出部３３５は、図４Ｂで示されるように、スペーサキー３１０の外側区間３４０がスペーサ枠のスペーサ部分３０５Ａ、３０５Ｂ内で受容されるように、より緩い嵌合からよりきつい嵌合への遷移を提供するように丸みを有し得る。
【００４０】
スペーサキー３１０の中間区間３４５は、スペーサキー３１０の本体３１４から延在し得る、外側肩部３１５Ａ、３１５Ｂを含み得る。本体３１４とレール３１２のそれぞれとの交差部は、レール３１２間の溝を画定し得、該レールは、レール３１２の交差部において、外側肩部３１５Ａから内側肩部３１５Ｃまで先細になり得る。いくつかの配設において、外側肩部３１５Ａ、３１５Ｂのそれぞれは、スペーサキー３１０の長手方向軸に対してある傾斜角度で延在する輪郭を有し得、よって、基部３１１のより近くにあり得る肩部３１５Ａ、３１５Ｂの一部分は、基部３１１からより遠くにある肩部３１５Ａ、３１５Ｂの一部分よりも互いに近くにある。いくつかの配設において、外側肩部３１５Ａ、３１５Ｂのそれぞれは、外側肩部３１５Ａ、３１５Ｂの輪郭がスペーサキー３１０の長手方向軸（図示せず）に対して垂直であるように配向され得る。そのような配設のいずれかにおいて、外側肩部３１５Ａ、３１５Ｂは、図４Ｂおよび４Ｃに関して本明細書でさらに説明されるように、密閉材料３５０を適用する領域の境界を定め得る。
【００４１】
スペーサキー３１０は、レール３１２が基部３１１から延在する方向と同じ方向に本体３１４から延在する、ボスまたは複数のボス３１７を含み得る。図４Ｂで示されるように、本明細書において上で説明される外側区間に類似し得るスペーサキー３１０の外側区間３４０は、スペーサ部分３０５Ａ、３０５Ｂ内で受容され得、よって、ボス３１７は、それぞれのスペーサ部分３０５Ａ、３０５Ｂの端面３０７に当接する。
【００４２】
図４Ａでさらに示されるように、中間区間３４５の本体３１４は、材料が貫通し得る、穴を画定し得る。このようにして、ＩＧＵ３００の実施例にあるように、スペーサキー３１０がスペーサ部分３０５Ａ、３０５Ｂの端部の中へ挿入されるときに、従来は湿気の浸入を防止するためにスペーサ枠内に配置される乾燥剤または他の吸収材料が、ＩＧＵの組み立て処理中に、中間区間３４５の穴を通って流れ得る。
【００４３】
図４Ｂおよび４Ｃを参照すると、限定的されないが、本明細書において上で説明されるブチルまたは他の材料等の、密閉材料３５０が本体３１４上に蒸着され得る。いくつかの配設において、示されるように、密閉材料３５０は、本体３１４およびレール３１２によって画定される溝内で受容され得、また、外側肩部３１５Ａ、３１５Ｂの間で受容され得る。図４Ｃで最も良く示されるように、密閉材料３５０は、スペーサキー３１０がそれぞれのスペーサ部分３０５Ａ、３０５Ｂ内で受容された後に蒸着され得る。このようにして、密閉材料３５０は、スペーサキー３１０とそれぞれのスペーサ部分３０５Ａ、３０５Ｂとの間の空隙を充填し得る。
【００４４】
図４Ｃで最も良く示されるように、ボス３１７および内側肩部３１５Ｃはそれぞれ、スペーサ部分３０５Ａ、３０５Ｂを超えて延在し得る。いくつかのそのような配設において、示されるように、密閉材料３５０は、ボス３１７を覆って、かつ、スペーサ部分３０５Ａ、３０５Ｂとスペーサキー３１０のボス３１７とのそれぞれの接合部に隣接するスペーサ部分３０５Ａ、３０５Ｂの端部上へ延在し得る。さらに示されるように、いくつかの配設では、当業者に知られているように、限定されないが、ＰＩＢ等の補助シール３５７が、ＩＧＵ３００のスペーサ部分３０５Ａ、３０５Ｂおよびスペーサ枠のスペーサキー３１０を覆って適用され得る。このようにして、図４Ｃでさらに示されるように、二次シール３５７は、ＩＧＵ３００のスペーサ枠およびガラスライトパネル２、１２（図示せず）によって画定される空間の少なくとも一部分を充填し得、そのような空間はさらに、密閉材料３５０の表面によって画定され得る。いくつか配設において、スペーサキー３１０、スペーサ部分３０５Ａ、３０５Ｂおよび密閉材料３５０の組み合わせは、スペーサ部分３０５Ａ、３０５Ｂと同じまたは実質的に同じ輪郭を有する、連続するスペーサ枠を形成する。
【００４５】
以下、図５を参照すると、本明細書において上で説明されるＩＧＵ３００または他のＩＧＵ等のＩＧＵ内に配置するためのスペーサキー４１０は、本明細書でさらに指摘される一部の例外を除いて、スペーサキー３１０に実質的に類似し得る。示されるように、スペーサキー４１０は、スペーサキー３１０のスロット３３０よりも大きくなり得る、スロット４３０を含み得、また、湾曲した対向する壁を有し得る、突出部４３５または他のタイプのエンボス加工部を含み得、よって、突出部４３５のそれぞれは、スペーサキー４１０の対応するレール４１２のそれぞれと同じ、実質的に同じ、さらには該レールよりも僅かに大きい壁厚を有する。スペーサキー４１０は、開口チャネルを有し得る中間区間４４５の本体４１４を有し得、該開口チャネルは、基部４１１および中間区間４４５の対向側部上の外側区間４４０のレール４１２によって形成される開口チャネルと連続する。中間区間４４５の本体４１４および外側区間４４０のレール４１２は、スペーサキー４１０の中間区間４４５の周辺部の外側部分の周囲に溝を画定し得る。いくつかの配設において、中間区間４４５の周辺部の内側部分は、スペーサキー４１０の中間区間４４５の厚さを横断して延在し得る、肩部４１５を含み得る。示されるように、肩部４１５は、残りのスペーサキー４１０の厚さを超えて延在し得る。このようにして、肩部４１５は、スペーサのスペーサ部分の端部と当接するための表面を提供し得る。いくつかの配設において、肩部４１５は、スペーサを横断する厚さ以下である、厚さ方向の寸法を有し得る。このようにして、スペーサおよび肩部４１５でないは、スペーサ枠がその間にセットされ得る、ガラスライトパネルの分離部を画定し得る。
【００４６】
以下、図６Ａ〜６Ｃを参照すると、本明細書において上で説明されるＩＧＵ等のＩＧＵに配置するためのスペーサキー５１０は、本明細書でさらに指摘される一部の例外を除いて、スペーサキー２１０に実質的に類似し得る。スペーサキー５１０は、スペーサキー２１０によって提供される様式に類似する様式で、スペーサ部分５０５等のスペーサ部分の絶縁分離部と、ＩＧＵのバスバーとを提供し得る。図６Ａで示されるように、スペーサキー５１０は、第１の外側部分５４０Ａおよび第２の外側部分５４０Ｂならびに中間区間５４５を有する、外側区間を含み得る。本実施例で示されるように、第１の部分５４０Ａのそれぞれは、第２のリブ５４３に取り付けられ得る、第１のリブ５４２を含み得る。第１のリブ５４２および第２のリブ５４３のそれぞれは、第１の外側部分５４０Ａおよび第２の外側部分５４０Ｂのそれぞれの基部５１１の上側に隆起し得る。いくつかの配設において、示されるように、第１のリブ５４２のそれぞれは、第２のリブ５４３の上側に隆起し得る。さらに示されるように、第１のリブ５４２のそれぞれは、Ｔ字形であり得、第２のリブ５４３のそれぞれは、Ｌ字形であり得、よって、第１のリブ５４２および第２のリブ５４３ならびに基部５１１は、第１の外側部分５４０Ａのそれぞれの上に１対の空洞を画定し得る。
【００４７】
第２の外側部分５４０Ｂのそれぞれは、レール５１２と、スペーサキー５１０の外側区間の基部５１１の上側に隆起する、レール５１２間の第３のリブ５４６とを含み得る。示されるように、第３のリブ５４６は、それぞれの第１の外側部分５４０Ａのそれぞれの第１のリブ５４２からスペーサキー５１０の長さ方向に延在し得る。第１のリブ５４２および第３のリブ５４６のそれぞれは、それぞれのリブ５４２、５４６から外側区間のそれぞれの基部５１１に向かう方向に先細になり得る、それぞれのステップ５４７Ａ、５４７Ｂを含み得る。このようにして、スペーサキー５１０は、スペーサキー５１０がその中へ受容され得るスペーサ部分５０５等のそれぞれのスペーサ部分の中へスペーサキー５１０が受容されるにつれて、ますます圧縮され得る。それぞれのスペーサ部分の中へ挿入されると、スペーサキー５１０の種々のリブ５４２、５４３、５４６は、それぞれのスペーサ部分内に圧縮嵌合を提供して、スペーサキー５１０をスペーサ枠内で維持し得る。
【００４８】
さらに示されるように、レール５１２は、突条部５４１を含み得、該突条部は、スペーサ部分５０５等のそれぞれのスペーサ部分の中へのスペーサキー５１０の挿入を容易にするように撓み得る一方で、スペーサ部分との摩擦インターフェースを提供して、スペーサキー５１０をスペーサ部分内で維持するのをさらに支援する。外側区間のそれぞれは、第２の外側部分５４０Ｂおよび第２のリブ５４３のレール５１２によって画定される、切り欠き５４８を含み得る。このようにして、第２の外側部分５４０Ｂは、幅方向に屈曲して、スペーサ枠のそれぞれのスペーサ部分の中へのスペーサキー５１０の挿入に必要とされる力を低減させ得る。
【００４９】
図６Ｂで示されるように、スペーサキー５１０のレール５１２に対向するスペーサキー５１０の内側では、スペーサキー５１０の外側区間のそれぞれが、種々の部分に外側区間の空洞５４９を含み得、該空洞は、スペーサキー５１０に使用される材料の量を低減させ、したがって、スペーサキー５１０を処理するコストを低減させる一方で、外側区間の空洞５４９の周囲の領域の強化を可能にするために使用され得る。スペーサキー５１０の基部５１１のそれぞれは、対応するレールを受容するためのトラックとしての役割を果たし得る、外側区間の溝５２９を画定し得、該対応するレールは、スペーサキー５１０がその中へ挿入され得るそれぞれのスペーサ部分の長さに沿って延在し得る。示されるように、外側区間の溝５２９は、溝５２９がスペーサ部分の対応するレールと整列するのを支援するように広がる、端部を有し得る。
【００５０】
図６Ａでさらに示されるように、スペーサキー２１０の中間区間２４５とは対照的に、スペーサキー５１０のレール５１２またはスペーサキー５１０の外側と同じ側では、スペーサキー５１０の中間区間５４５が、中間区間の空洞５１８を含み得る。外側区間の空洞５４９と同様に、中間区間の空洞５１８は、スペーサキー５１０に使用される材料の量を低減させ、したがって、スペーサキー５１０を処理するコストを低減させるために使用され得る。図６Ａでさらに示されるように、外側部分５４０Ａおよび中間区間５４５のそれぞれの交差部は、溝５５５を画定し得、該溝は、スペーサキー５１０とスペーサキー５１０がその中へ受容され得る対応するスペーサ部分との間のインターフェースを密閉するための、限定されないが、本明細書において上で説明される密閉材料３５０に関して説明される密閉材料等の、密閉材料を受容し得る。そのような配設は、スペーサ枠のスペーサキー５１０および対応するスペーサによって画定されるＩＧＵ空洞からのガスの漏出、および該ＩＧＵ空洞の中への湿気の導入を防止し得る。
【００５１】
図６Ｂで示されるように、スペーサキー５１０の内側側部上に、中間区間５４５は、対向する側部肩部５１６の間に延在し得る、中間区間の溝５１９を含み得る。示されるように、中間区間の溝５１９は、外側区間の溝５２９と同一直線上にあり得る。図６Ｃで示されるように、カバー５２０は、カバー２２０のスペーサキー２１０の中間区間２４５上への配置に類似する様式で、中間区間５４５上へ配置され得る。いくつかの配設において、カバー５２０は、レールを中間区間の溝５１９の中へ「実矧ぎ（ｔｏｎｇｕｅ−ｉｎ−ｇｒｏｏｖｅ）」挿入し、したがって、カバー５２０をスペーサキー５１０の中間区間５４５に取り付けるための、レールを有し得る。図６Ｃでさらに示されるように、カバー５２０は、対向する側部肩部５１６と基部肩部５１５との間に嵌合され得る。
【００５２】
図７Ａおよび７Ｂを次に参照すると、本明細書でさらに指摘される一部の例外を除いて、スペーサキー６１０は、スペーサキー１１０に実質的に類似し得る。故に、スペーサキー６１０は、基部６１１から延在するレール６１２に沿った予め定義された位置に配置されるタブ６３５をそれぞれが有する、外側区間６４０を含み得る。示されるように、タブ６３５は、スペーサキー６１０の幅方向に平行な方向に延在し得る。さらに示されるように、スペーサキー６１０の外側区間６４０の長さは、スペーサキー１１０の外側区間１４０の長さよりも長くなり得、スペーサキー６１０の外側区間６４０のそれぞれの間に取り付けられる中間区間６４５の長さは、スペーサキー１１０の中間区間１４５よりも長くなり得る。
【００５３】
スペーサキー６１０の中間区間６４５は、本体６１４を有し得、該本体は、基部６１１と同じ位置からレール６１２の下側まで幅方向に延在して、外側区間６４０および中間区間６４５の交差部によって画定される溝を形成し得る。そのような溝は、図６Ａに関して説明される溝５５５のそれぞれに類似する機能を果たし得る。いくつかの配設において、本体６１４は、スペーサキー３１０の本体３１４によって画定される穴に類似する様式で機能し得る、穴を画定し得る。いくつかの配設において、材料は、スペーサキー３１０の本体３１４に関して本明細書において上で説明されるように、本体６１４を貫通し得る。さらに示されるように、肩部６１５は、肩部６１５がスペーサキー３１０に類似する様式で密閉材料（図示せず）を受容し得る空隙を画定するような方向で、本体６１４の周辺部の周囲に延在し得る。
【００５４】
図７Ａおよび７Ｂでさらに示されるように、スペーサキー６１０の外側区間６４０のそれぞれは、該外側区間を通って長さ方向に延在する、スロット６３０を含み得る。スロット６３０は、図４Ａに関して示され、説明される基部スロット３３０と同じまたは類似する様式で機能し得る。
【００５５】
図７Ｂおよび７Ｃを参照すると、レール６１２に対向するスペーサキー６１０の側部上のスペーサキー６１０の内側部分は、空洞６１８と、長手方向溝６１９とを含み得る。示されるように、いくつかの配設において、長手方向溝６１９は、空洞６１８よりも長くなり得、また、スペーサキー６１０の外側区間６４０の長さの大部分に沿って外側区間６４０のそれぞれの端部まで延在し得る。示されるように、いくつかの配設において、長手方向溝６１９は、外側区間６４０の端部の末端で広がり得る。
【００５６】
スペーサキー６１０は、スペーサ部分６０５Ａ、６０５Ｂ内で受容され得、よって、スペーサ部分６０５Ａ、６０５Ｂの端部は、スペーサキー６１０の肩部６１５に当接し得る。示されるように、スペーサ部分６０５Ａ、６０５Ｂは、複数の穴またはスロット６２８を画定し得る。いくつかの配設において、スロット６２８は、スペーサ部分６０５Ａ、６０５Ｂを通して内側へ穿孔することによって形成され得、よって、そのようなスペーサ部分の穿孔部分は、空洞６１８および長手方向溝６１９の一方または双方の中で受容され得る。このようにして、空洞６１８は、スロット６２８を画定する穿孔部分を受容するための把持部としての役割を果たし得る。いくつかの配設において、スロット６２８は、スペーサ部分６０５Ａ、６０５Ｂおよびスペーサキー６１０を含むスペーサ枠によって画定され得るＩＧＵの空洞内に存在し得る湿気が、該空洞を通って流れ、スペーサ枠内にあり得る乾燥剤または他の吸収材料によって吸収されるのを可能にし得る。
【００５７】
以下、図８Ａおよび８Ｂを参照すると、スペーサキー７１０Ａおよびスペーサキー７１０Ｂは、スペーサキー７１０Ａ、７１０Ｂのそれぞれのレール７１２Ａ、７１２Ｂがスペーサキー６１０のレール６１２とは異なる特徴を含み得ることを除いて、スペーサキー６１０に実質的に類似し得る。図８Ａおよび８Ｂで示されるように、レール７１２Ａ、７１２Ｂは、第１のフィン７３５および第２のフィン７３６を含み得、該フィンは、それぞれのスペーサキー７１０Ａ、７１０Ｂの内側部分および外側部分を接続するそれぞれのスペーサキー７１０Ａ、７１０Ｂの表面に沿って、レール７１２Ａ、７１２Ｂまで斜め方向に延在し得る。いくつかの配設において、そのようなフィンは、それぞれのスペーサキー７１０Ａ、７１０Ｂの外側区間が、図６Ｃで示されるスペーサ部分６０５Ａ、６０５Ｂと同じ、または実質的に類似し得るスペーサ部分７０５等のスペーサ部分の端部内で受容され得る方向とは反対の方向に延在し得る。このようにして、フィンは、それぞれのスペーサキー７１０Ａ、７１０Ｂのスペーサ部分の端部の中へのより容易な挿入を可能にし得るが、それぞれのスペーサキーと対応するスペーサ部分との間で、挿入方向とは反対の方向に追加的な摩擦を提供する。示されるように、第１のフィン７３５は、第２のフィン７３６よりも長くなり得る。このようにして、第１のフィン７３５は、より大きい圧縮を提供し、したがって、それぞれのスペーサキー７１０Ａ、７１０Ｂと対応するスペーサ部分との間の増加した摩擦を提供し得る。
【００５８】
図８Ａで示されるように、スペーサキー７１０Ａのレール７１２Ａは、レール７１２Ａの長さに沿って幅方向に延在し得る、第３のフィン７３７を含み得る。対照的に、図８Ｂで示されるように、スペーサキー７１０Ｂのレール７１２Ｂは、レール７１２Ｂの端部部分だけに沿って延在し得る、第３のフィン７３７を含み得る。図８Ｂでさらに示されるように、レール７１２Ｂの残部は、中実であり得る。図８Ａおよび８Ｂの配設のどちらかにおいて、第３のフィン７３７は、第１のフィン７３５および第２のフィン７３６に類似する様式で、それぞれのスペーサキー７１０Ａ、７１０Ｂのより容易な挿入を可能にし得る。いくつかの配設において、第１のフィン７３５、第２のフィン７３６、および第３のフィン７３７のいずれかまたは全ては、レール上の任意の場所、例えば、レールの前面、後面、頂面、および底面のいずれかから延在し得る。
【００５９】
以下、図９を参照すると、ＩＧＵ８００は、ガラスライトパネル２を含み得、該ガラスライトパネルは、ガラスライトパネル２の縁部に平行な方向に沿ってそれぞれが適用され得、かつ、続き得る、バスバー３３およびバスバー３４を有し得る。示されるように、バスバー３３、３４の端部は、ＩＧＵ８００の隅部で互いに隣接し得る。さらに示されるように、ＩＧＵ８００は、スペーサ隅部８６０から次に延在し得るスペーサキー８１０から延在し得るスペーサ部分８０５Ａ、８０５Ｂによって形成され得る、スペーサ枠を含み得る。図示されていないが、スペーサシールは、従来、スペーサ枠とガラスライトパネル２との間に配置され得る。
【００６０】
スペーサ隅部８６０は、隅部の舌状部８６４がそこから延在し得る、隅部区間８６２を有し得る。スペーサ隅部８６０は、剛性であり得る。スペーサ隅部８６０は、ステンレス鋼、他の金属、プラスチック、またはセラミック等の材料で作製され得る。
【００６１】
スペーサキー８１０は、中間区間８４５の両側にあり得、かつ、該中間区間に取り付けられ得る、第１の外側区間８４０と、第２の外側区間８４１とを含み得る。示されるように、いくつかの配設において、中間区間８４５は、肩部８１５を含み得るが、他の配設において、中間区間８４５は、限定されないが、本明細書において上で説明される中間区間に実質的に類似し得る。第１の外側区間８４０のそれぞれは、それぞれのスペーサ部分８０５Ａ、８０５Ｂ内で受容されるように寸法決定され得る。示されるように、第１の外側区間８４０は、中空管であり得るが、他の配設において、第１の外側区間８４０は、限定されないが、本明細書において上で説明される外側区間のいずれか等の外側区間に類似する様式で配設され得る。
【００６２】
さらに示されるように、第２の外側区間８４１のそれぞれは、それぞれの隅部の舌状部８６４を支持するための棚部として作用し得る長さを有し得る。第２の外側区間８４１はさらに、幅の少なくとも一部分に沿って厚さを有し得、よって、第２の外側区間８４１は、スペーサ隅部８６０の隅部区間８６２の一部分と重なって、スペーサ枠の一部分に沿った露出表面を提供し得る。それぞれのスペーサキー８１０は、限定されないが、スペーサキー１１０に関して説明される絶縁材料等の、絶縁材料で作製され得る。このようにして、スペーサキー８１０は、バスバー３３、３４のいずれかとそれぞれのスペーサ部分８０５Ａ、８０５Ｂとの間の不用意な接触および短絡が生じた場合に、バスバー３３と３４との間の電気的短絡を防止し得る。
【００６３】
以下、図１０を参照すると、ＩＧＵ９００は、ガラスライトパネル２を含み得、該ガラスライトパネルは、ガラスライトパネル２の縁部に平行な方向に沿って続き得る、バスバー９３３を有し得る。示されるように、バスバー９３３は、ガラスライトパネル２の縁部に隣接する、バスバー端部９３３Ａを有し得る。さらに示されるように、ＩＧＵ９００は、スペーサキー９１０の外側区間９４０から延在し得るスペーサ部分９０５Ａ、９０５Ｂによって形成され得る、スペーサ枠を含み得る。図示されていないが、スペーサシールは、従来、スペーサ枠とガラスライトパネル２との間に配置され得る。
【００６４】
さらに示されるように、スペーサキー９１０は、外側区間９４０の間に取り付けられる、中間区間９４５を含み得る。中間区間は、本体９１４を含み得、また、スペーサ部分９０５Ａ、９０５Ｂの端部に対して当接させるための、本体９１４の端部上の対向する肩部９１６を含み得る。示されるように、この配設において、本体９１４の中央部分は、外側区間９４０からオフセットされ得る。このようにして、バスバー端部９３３Ａは、本体９１４およびガラスライトパネル２の縁部によって画定される領域内で嵌合し得る。図１０で示されるように、そのような配設は、建築用グレージング枠に設置されたときにＩＧＵ内により大きい可視領域を提供するために、スペーサ枠をガラスライトパネル２の縁部により近づけて配置することを可能にする。
【００６５】
本明細書において上で説明されるいくつかの態様、実施形態、および配設は、雄型および雌型または同等のインターフェースもしくは接続部を有するように説明されているが、そのような態様、実施形態、および配設は、そのような雄型および雌型インターフェースが逆になることを含むことを理解されたい。例えば、スペーサキーの外側区間がスペーサ枠内で受容されているように説明される場合、他の配設において、それぞれのインターフェース外周等の外側区間およびスペーサ部分のある特徴は、外側区間がスペーサ部分を受容し得るように、逆にされ得る。別の例として、レール、バンプ、ボス、タブ、突出部、または類似する雌型特徴が溝、スロット、空洞、または他の雌型特徴で受容されている、またはそれらに類似してインターフェースしているように説明される場合、そのようなそれぞれの特徴は、逆にされ得る。
【００６６】
本明細書において上で説明される態様、実施形態、および配設は、シール、シーラント、密閉機構等を有するように説明されているが、そのような態様、実施形態、および配設は、そのようなシール、シーラント、および密閉機構を全て、もしくはそれらのいくつか含み得ること、またはそれらを全く含み得ないことを理解されたい。任意の構成要素のインターフェースにおける任意の空隙は、限定されないが、ガスケット、Ｏリング、シリコーン、ＰＩＢ、および各特定の用途で使用するための、当業者に知られている任意の他の密閉機構を含む、シール、図４Ｂおよび４Ｃに関して本明細書において上で説明されるもの等のシーラント、密閉機構等によって密閉され得ることを理解されたい。本明細書において上で説明されるいくつかの態様、実施形態、および配設は、１つまたは複数のフィードスルー機構、アセンブリ、コネクタ等を有するものとして説明されているが、そのような態様、実施形態、および配設は、そのようなフィードスルー機構、アセンブリ、コネクタ等のうちのいずれか１つまたは複数を含み得ることを理解されたい。
【００６７】
本明細書に記載される開示は、本明細書で具体的に開示されているかどうかに関わらず、上に記載される特定の特徴のあらゆる可能な組み合わせを含むことを理解されたい。例えば、特定の特徴が特定の態様、配設、構成、もしくは実施形態、または特定の請求項に照らして開示される場合、その特徴はまた、可能な範囲内で、本発明の他の特定の態様、配設、構成、および実施形態と組み合わせて、および／またはそれらに照らして、また、全般的に本発明において使用することもできる。
【００６８】
さらに、本明細書で本発明を特定の特徴に関して説明してきたが、これらの特徴は、本発明の原理および用途の単なる実例に過ぎないことを理解されたい。したがって、実例となる実施形態には、本発明の趣旨および範囲から逸脱することなく、本明細書で説明される種々の特徴のサイズの変更を含む数多くの修正が行われ得ること、および他の配設が考案され得ることを理解されたい。これに関して、本発明は、下の特許請求の範囲に記載されるそのような特定の特徴に加えて、数多くの追加的な特徴を含む。さらに、前述の開示は、本発明が下に記載される特許請求の範囲によって定義されるときに、限定目的ではなく、例示目的であると解釈されるべきである。
【図１】
2015530339.tif 000003
【図２Ａ】
2015530339.tif 000004
【図２Ｂ】
2015530339.tif 000005
【図３Ａ】
2015530339.tif 000006
【図３Ｂ】
2015530339.tif 000007
【図４Ａ】
2015530339.tif 000008
【図４Ｂ】
2015530339.tif 000009
【図４Ｃ】
2015530339.tif 000010
【図５】
2015530339.tif 000011
【図６Ａ】
2015530339.tif 000012
【図６Ｂ】
2015530339.tif 000013
【図６Ｃ】
2015530339.tif 000014
【図７Ａ】
2015530339.tif 000015
【図７Ｂ】
2015530339.tif 000016
【図７Ｃ】
2015530339.tif 000017
【図８Ａ】
2015530339.tif 000018
【図８Ｂ】
2015530339.tif 000019
【図９】
2015530339.tif 000020
【図１０】
2015530339.tif 000021
【国際調査報告】
2015530339.tif 000022
2015530339.tif 000023
2015530339.tif 000024